(57)【要約】【課題】アンテナとハンドルの固定部分が外部に露出することがなく、簡単な構造の治具Ｇを利用して、アンテナの取り外しが可能なワイヤレスマイクのアンテナ着脱機構を提供する。【解決手段】アンテナ取付部２１はワイヤレスマイクのハンドル２の端部に設けられる。カバー４はアンテナ取付部２１を被覆する。治具挿入孔４２はカバー４に設けられる。長い棒状のアンテナ３はワイヤレスマイクのハンドル２とは別体に設けられる。継手３１はアンテナ３の一端に設けられる。係合部３２ａ，３２ｂは継手３１に設けられる。係合部３２ａ，３２ｂは治具Ｇに対してハンドル２の軸方向には移動可能で、軸方向を中心とする回転方向には治具Ｇと係合する。【選択図】図１
2019186612.tif 000002
【特許請求の範囲】
【請求項１】
ワイヤレスマイクのハンドルの端部に設けられたアンテナ取付部と、
前記アンテナ取付部を被覆するカバーと、
前記カバーに、前記ハンドルの軸方向と交差する方向に設けられた治具挿入孔と、
前記ワイヤレスマイクのハンドルとは別体に設けられた長い棒状のアンテナと、
前記アンテナの一端に設けられた継手と、
前記継手に設けられ、前記治具に対してハンドルの軸方向には移動可能で、軸方向を中心とする回転方向には前記治具と係合する係合部とを備え、
前記治具挿入孔は、その開口部内にアンテナ着脱用の治具が挿入可能な大きさであり、
前記棒状のアンテナは、前記治具の軸方向に設けられ、前記カバーのハンドルの軸方向長さよりも長いものであり、
前記継手は、アンテナと共に前記開口部内に挿通可能な外径を有し、前記ハンドルの軸方向を中心とする回転方向の移動により前記アンテナ取付部に対して着脱されることを特徴とするワイヤレスマイクのアンテナ着脱機構。
【請求項２】
前記カバーが前記ハンドルの軸方向と直交する方向に設けられた軸と軸受によってハンドルに対して回動可能に取り付けられ、前記ハンドルに固定された前記アンテナが前記治具挿入孔内に挿入された状態において、前記アンテナによって前記カバーの回動が阻止されている請求項１に記載のワイヤレスマイクのアンテナ着脱機構。
【請求項３】
前記開口部と前記アンテナとの隙間を塞ぐ部材を備えている請求項１または請求項２に記載のワイヤレスマイクのアンテナ着脱機構。
【請求項４】
前記アンテナ取付部と前記継手が、前記ハンドルの軸方向を中心とする回転方向の移動により締結される雄ねじと雌ねじである請求項１から請求項３のいずれか１項に記載のワイヤレスマイクのアンテナ着脱機構。
【発明の詳細な説明】
【技術分野】
【０００１】
本発明は、ワイヤレスマイクのアンテナ着脱機構に関する。
【背景技術】
【０００２】
ワイヤレスマイクはそのハンドル部分に送受信用のアンテナを内蔵するものが多い。しかし、ハンドル内部にアンテナを内蔵すると、必要なアンテナ長さを得られないとか、ハンドルの外被が電波を遮蔽して送受信性能が低下するなどのおそれがある。その点を改善するために、特許文献１に示すように、ハンドルのマイクヘッドと反対側の端部に、ハンドルの軸方向に沿って伸びるアンテナを固定したワイヤレスマイクが提案されている。
【先行技術文献】
【特許文献】
【０００３】
【特許文献１】特開平１０−２００９８０号公報
【発明の概要】
【発明が解決しようとする課題】
【０００４】
確かに、前記のようなワイヤレスマイクは、アンテナがハンドル外部に露出していることから、所望のアンテナ性能を得ることができる利点はあるものの、実際の使用に当たっては次のような問題点があった。
【０００５】
（１）ハンドルとアンテナは、ハンドルに設けられた雄ねじに対して、締め付けナットやアンテナに固定された雌ねじをねじ込むことで固定されるのが一般的である。しかし、従来技術では、この種のハンドルとアンテナの固定部分が外部に露出していることから、マイクの使用時において、アンテナの固定部分に外力が加わり易く、固定部分の損傷が生じ易い。
【０００６】
（２）マイクに設けられるアンテナは、所定の送受信性能を確保するためには、一定の規格に応じたものが採択されるが、固定部分が露出していると、ユーザが既存のアンテナを簡単に交換することができ、規格外のアンテナに交換する可能性がある。一方、固定部分をハンドル内部に設けると、不適切な交換は避けられるものの、規格に合ったアンテナの修理や交換の際にアンテナをマイクから取り外す作業が困難になる。
【０００７】
本発明は、上記のような従来技術の問題点を解消するために提案されたものである。本発明の目的は、固定部分が外部に露出することがなく、しかも、簡単な構造の治具を利用して、アンテナの取り外しが可能なワイヤレスマイクのアンテナ着脱機構を提供することにある。
【課題を解決するための手段】
【０００８】
本発明のワイヤレスマイクのアンテナ着脱機構は、次のような構成を有することを特徴とする。
（１）ワイヤレスマイクのハンドルの端部に設けられたアンテナ取付部。
（２）前記アンテナ取付部を被覆するカバー。
（３）前記カバーに、前記ハンドルの軸方向と交差する方向に設けられた治具挿入孔。
（４）前記ワイヤレスマイクのハンドルとは別体に設けられた長い棒状のアンテナ。
（５）前記アンテナの一端に設けられた継手。
（６）前記継手に設けられ、前記治具に対してハンドルの軸方向には移動可能で、軸方向を中心とする回転方向には前記治具と係合する係合部。
（７）前記治具挿入孔は、前記開口部内にアンテナ着脱用の治具が挿入可能な大きさである。
（８）前記棒状のアンテナは、前記治具の軸方向に設けられ、前記カバーのハンドルの軸方向長さよりも長いものである。
（９）前記継手は、アンテナと共に前記開口部内に挿通可能な外径を有し、前記ハンドルの軸方向を中心とする回転方向の移動により前記アンテナ取付部に対して着脱される。
【０００９】
本発明は、次のような態様も包含する。
（１）前記カバーが前記ハンドルの軸方向と直交する方向に設けられた軸と軸受によってハンドルに対して回動可能に取り付けられ、前記ハンドルに固定された前記アンテナが前記治具挿入孔内に挿入された状態において、前記アンテナによって前記カバーの回動が阻止されている。
（２）前記開口部と前記アンテナとの隙間を塞ぐ部材を備える。
（３）前記アンテナ取付部と前記継手が、前記ハンドルの軸方向を中心とする回転方向の移動により締結される雄ねじと雌ねじである。
【発明の効果】
【００１０】
本発明によれば、カバーによってアンテナの固定部分が被覆されるので、マイクの使用時において、アンテナの固定部分に外力が加わり難く、固定部分に損傷が生じることを防止できる。カバーを取り付けたまま、治具をカバー内に挿入して継手を回転させ、アンテナの取り外しができるので、アンテナの交換や補修作業が容易となる。特別な治具を使用しない限り、カバーの取り外しなどの面倒な作業を行わないとアンテナの交換ができないことから、ユーザによる不用意なアンテナの交換が困難となる。その結果、規格外のアンテナに交換されるなどの不都合が発生する可能性が低下する。
【図面の簡単な説明】
【００１１】
【図１】第１実施形態のワイヤレスマイクの組立状態を示す斜視図。
【図２】第１実施形態のワイヤレスマイクの分解斜視図。
【図３】第１実施形態におけるアンテナと継手との構成を示す断面図。
【図４】継手とアンテナ取付部の他の構成を示す斜視図。
【発明を実施するための形態】
【００１２】
以下、本発明の実施形態を、図面に従って具体的に説明する。なお、本実施形態において、軸方向とは、特に定義しない限りマイクのハンドルの軸方向を言う。
［１．第１実施形態］
（１）構成
図１に示すように、本実施形態のワイヤレスマイクは、マイクヘッド１とハンドル２、及びハンドル２の軸方向端部、具体的にはマイクヘッド１と反対側の端部に固定されたアンテナ３を有する。
【００１３】
ハンドル２のマイクヘッド１と反対側の端部には、ハンドル２とアンテナ３との固定部分を覆うカバー４が設けられる。このカバー４は内部が中空の箱状の部材である。カバー４は、後述する継手３１の長さＬ２よりもハンドル２の端部から長い寸法Ｌ１分突出して設けられる。本実施形態では、カバー４のマイクヘッド側の部分に、ハンドル２の一部を覆う突出部４１が一体に設けられる。カバー４の端面には治具挿入孔４２が設けられる。治具挿入孔４２はアンテナ着脱用の治具Ｇを挿入するもので、ハンドル２の軸方向と交差する方向に開口し、その内部に治具Ｇが挿入可能な大きさである。
【００１４】
カバー４は、ハンドル２に設けられた軸２２に対してカバー４側の軸受４３を回動可能にはめ込むことで、ハンドル２に開閉可能に取り付けられる。これらの軸２２および軸受４３は軸方向と直交する方向に設けられる。カバー４にはねじ孔４４が設けられ、このねじ孔４４にハンドル２と反対側から止めねじ４５をねじ込むことで、ハンドル２とカバー４は固定される。
【００１５】
アンテナ３はハンドル２とは別体に設けられた長い棒状の部材である。ハンドル２のアンテナ３側の端部には、外周に雄ねじを有する筒状のアンテナ取付部２１が設けられる。図示しないが、アンテナ取付部２１の中心部には、軸方向に沿って伸びる信号線のコネクタが設けられ、このコネクタに対してアンテナ３の端部に設けられたプラグが挿入されることで、ハンドル２内の電気回路とアンテナ３の信号線とが電気的に接続される。
【００１６】
アンテナ３のハンドル２側の端部外周には、円筒状の継手３１が回転可能にはめ込まれる。継手３１はアンテナ３よりも短い部材で、カバー４の治具挿入孔４２内に挿通可能な外径を有する。継手３１のハンドル２側の端部には雌ねじが設けられ、この雌ねじがアンテナ取付部２１の外周の雄ねじに締結される。すなわち、継手３１の軸方向を中心とする回転方向の移動により、アンテナ取付部２１の雄ねじと継手３１の雌ねじがねじ合わされ、継手３１はアンテナ取付部２１に対して着脱される。継手３１のハンドル２とは反対側の部分には、円筒状をした継手３１の対向する２カ所の外周面を平行な平面状に形成することにより、係合部３２ａ，３２ｂが設けられる。係合部３２ａ，３２ｂのハンドル２側には段部３３が形成され、段部３３と反対側の部分は係合部３２ａ，３２ｂの縁が平行に露出して継手３１の外周面よりも凹んでいる。
【００１７】
継手３１はアンテナ３の外側に軸方向を中心として回転可能にはめ込まれる。一方、図３（ａ）（ｂ）に模式的に示すように、アンテナ３の外周には外側に広がったフランジ３４が設けられ、このフランジ３４が継手３１のハンドル２側の端面３１ａや継手３１の内周に形成した溝３１ｂ内に係合することにより、アンテナ３は継手３１の軸方向に対しては移動できない。そのため、ハンドル２に設けたアンテナ取付部２１に対して継手３１を締結すると、アンテナ３は回転方向には移動可能でも、軸方向には移動できない。
【００１８】
カバー４に設けられた治具挿入孔４２はアンテナ３の外側にはめ込む治具の太さよりもその外径が大きい。そのため、治具挿入孔４２内に治具が挿入されていない状態、すなわち通常のマイクの使用状態においては治具挿入孔４２の位置とアンテナ３の外周との間に隙間が形成される。本実施形態では、治具挿入孔４２の縁とアンテナ３外周との隙間を塞ぐ部材、例えば化粧ブッシュ５１とＯ−リング５２を備える。
【００１９】
治具Ｇは、中心部にアンテナ３の挿入孔を有する円筒状の部材である。その本体部分の外径はカバー４に設けた治具挿入孔４２内側に挿入することのできる寸法である。治具の先端、すなわちハンドル２側の端部には一対の突起が設けられており、これらの突起が継手３１の外周に設けられた２カ所の係合部３２ａ，３２ｂに対して外側から挟み込むようにはめ込まれる。治具Ｇの反対側の端部には治具本体よりも径が大きくなったつまみＧｃが設けられる。
【００２０】
（２）作用
本実施形態の作用は、以下のとおりである。
アンテナ３をハンドル２に固定するには、予め軸２２及び軸受４３を中心としてカバー４を回動させることにより、アンテナ取付部２１をカバー４によって被覆した状態としておく。この状態で治具挿入孔４２の内部にアンテナ３を差し込み、治具先端の一対の突起Ｇａ，Ｇｂを継手３１の２カ所の係合部３２ａ，３２ｂにはめ込む。この時、治具Ｇの先端が継手３１の端部に当接することにより、治具Ｇと継手３１の位置決めが行われ、治具Ｇの突起Ｇａ，Ｇｂが係合部３２ａ，３２ｂに確実にはまり込む。
【００２１】
その後、１つに組み合わされたアンテナ３、継手３１及び治具Ｇをカバー４の治具挿入孔４２に差し込み、継手３１先端の雌ねじを取付部２１の雄ねじに合わせる。そして、カバー４の外側に出ている治具ＧのつまみＧｃを回転させることにより継手３１を回転させ、雄ねじと雌ねじを締結して継手３１と取付部２１とを固定する。継手３１と取付部２１が固定されると、アンテナ３は継手３１に対し軸方向には移動しないように設けられていることから、結果として、アンテナ３はハンドル２の端部に固定される。この状態で、アンテナ３の外側から治具Ｇを引き抜き、アンテナ３と治具挿入孔４２の隙間にＯ−リング５２と化粧ブッシュ５１をはめ込むことで、アンテナ３の取付を完成する。
【００２２】
ハンドル２からアンテナ３を取り外したり、カバー４を開く場合には、アンテナ３の固定時とは逆にＯ−リング５２と化粧ブッシュ５１を取り外した状態でアンテナ３の外側に治具Ｇを差し込む。そして、治具Ｇ先端の突起を継手３１の係合部３２ａ，３２ｂにはめ込んだ状態で、つまみＧｃを持って治具Ｇを回転させる。これにより、継手３１と取付部２１の締結を緩め、アンテナ３をハンドル２から取り外す。アンテナ３をハンドル２から取り外すと、カバー４の治具挿入孔４２内にアンテナ３が存在しなくなるので、カバー４を軸２２と軸受４３を中心として回動させることが可能となり、止めねじ４５を外すことでカバー４を開くことができる。
【００２３】
（３）効果
本実施形態によれば、次のような効果が発揮される。
（１）カバー４を取り外すことなく化粧ブッシュ５１やＯ−リング５２を外して治具挿入孔４２から治具Ｇを差し込んで継手３１を回転させることにより、アンテナ３を簡単に外すことができる。一方、治具Ｇを持たないユーザなどがアンテナ３を取り外すことは不可能であるから、修理や交換作業を行う作業者にとっては使いやすく、権限を持たないユーザの不用意なアンテナ３交換を防止できるので、ワイヤレスマイクとして規定の性能を発揮することが可能となる。
【００２４】
（２）カバー４はハンドル２に対して軸２２と軸受４３によって回動するように取り付けられているため、アンテナ３をハンドル２に取り付けた状態では止めねじ４５を外してもカバー４はアンテナ３が邪魔になって回動することができない。そのため、図示のような治具Ｇを使ってアンテナ３を取り外さない限りカバー４を得ることができないので、カバー４を開けてハンドル２の電子回路に触れたり、継手３１を回転させてアンテナ３の取り外しを行うことができない。その結果、ユーザによる不用意な改造やそれに伴う故障の発生を防止することができる。
【００２５】
（３）本実施形態の継手３１を回転させるための治具Ｇは、中心部にアンテナ３を挿入することのできる寸法の挿入孔を備え、外径はカバー４に設けた治具挿入孔４２の内径よりも細いものであり、しかもその先端には継手３１に設けた係合部３２ａ，３２ｂに適合する突起を備えたものである。このような治具Ｇは一般には市販されておらず特殊な形状であることから、ユーザが市販のドライバーなどを使用してカバー４の外側から継手３１を回転させることができない。
【００２６】
［２．他の実施形態］
本発明は、前記の実施形態に限定されるものではなく、例えば、次のような他の実施形態も包含する。
（１）アンテナ取付部２１と継手３１はねじ止めされる構造に限定されない。例えば図４に示すように、と円柱状のアンテナ取付部２１の外周にピン２１ａを設け、アンテナ取付部２１の外側にはめ込まれる筒状の継手３１にＬ字型の溝３１ｃを設けた構造も採用できる。この構造では、Ｌ字型の溝３１ｃにおけるハンドル２の軸方向に沿って伸びる部分にピン２１ａが入り込むようにして、筒状の継手３１を円柱状のアンテナ取付部２１にはめ込む。その後、筒状の継手３１をハンドル２の軸を中心として回転させることにより、ピン２１ａをＬ字型の溝３１ｃの円周方向に伸びる部分に係合させることで、アンテナ３をハンドル２に固定する。
【００２７】
（２）カバー４の形状は図示のものに限定されるものではなく、突出部４１を持たない単なる箱状の部材であってもよい。図示とは別の構造によりハンドル２に対してカバー４を簡単に取り外すことができないものとした場合には、軸方向と直交する方向に設けた軸２２と軸受４３によってカバー４を開閉させることなく、ハンドル２に対してカバー４をはめ込みやねじ込みによって固定する構造としてもよい。
【００２８】
（３）継手３１によってアンテナ３をハンドル２側の取付部２１に固定する際に、カバー４の一部を継手３１とハンドル２の端部との間に挟み込むようにすれば、治具Ｇを用いてアンテナ３を取り外さない限りカバー４を開けることができない。このようにすると、治具Ｇを持たないユーザが勝手にアンテナ３の交換やカバー４内部の電子機器の修理を行うことが不可能になり、マイクの不用意な損傷を防止できる。
【００２９】
（４）継手３１としては、図示のような一対の係合部３２ａ，３２ｂを有する部材に限らず、六角ナットのような角筒状の部材を使用することもできる。
【符号の説明】
【００３０】
１…マイクヘッド
２…ハンドル
３…アンテナ
４…カバー
２１…アンテナ取付部
２２…軸
３１…継手
３１ａ…端面
３１ｂ…溝
３２ａ，３２ｂ…係合部
３３…段部
３４…フランジ
４１…突出部
４２…治具挿入孔
４３…軸受
５１…化粧ブッシュ
５２…Ｏ−リング
Ｇ…治具
Ｇａ，Ｇｂ…突起
Ｇｃ…つまみ
【図１】
2019186612.tif 000003
【図２】
2019186612.tif 000004
【図３】
2019186612.tif 000005
【図４】
2019186612.tif 000006